(57)【要約】【課題】緩衝部材の使用量を増大させたり緩衝部材のサイズを大きくしたりすることなく被梱包物の倒れを防いで支持できて、環境負荷を低減できる。【解決手段】薄型表示装置１は、本体１ａの下部を下部緩衝部材７の凹部７ａに嵌合し、上部を上部緩衝部材に嵌合して衝撃から保護する梱包構造を備えた。薄型表示装置１は、下部緩衝部材７の凹部７ａに嵌合される周縁部３ｂの下端部５をその上部より肉厚に形成し、下端部５の上側に持ち運び用ハンドル４を設けた。薄型表示装置１の下部を下部緩衝部材７の凹部７ａに嵌合させて、持ち運び用ハンドル４を支持緩衝部１８の上面１８ａに当接させて押圧した状態で、薄型表示装置１を垂直に支持する。【選択図】図３
2019127297.tif 000002
【特許請求の範囲】
【請求項１】
被梱包物の少なくとも一部を緩衝部材の凹部に嵌合してなる梱包構造において、
前記被梱包物は、
前記緩衝部材の凹部に嵌合される領域内に設けられた拡幅部と、
前記拡幅部より突出する突起部と、を備え、
前記緩衝部材には、前記突起部に当接して支える支持緩衝部が設けられていることを特徴とする被梱包物の梱包構造。
【請求項２】
前記突起部は前記被梱包物の持ち運び用ハンドルである請求項１に記載された被梱包物の梱包構造。
【請求項３】
前記被梱包物は薄型表示装置である請求項１または２に記載された被梱包物の梱包構造。
【請求項４】
前記拡幅部から前記支持緩衝部の上面までの高さは、前記被梱包物の下端部から前記突起部までの高さ以上である請求項１から３のいずれか１項に記載された被梱包物の梱包構造。
【請求項５】
前記支持緩衝部は略直方体である請求項１から４のいずれか１項に記載された被梱包物の梱包構造。
【請求項６】
前記被梱包物における下端部は、他の周縁部の部分より肉厚に形成された前記拡幅部である請求項４に記載された被梱包物の梱包構造。
【請求項７】
被梱包物の少なくとも一部を凹部内に収容する梱包用の緩衝部材において、
前記被梱包物の下部を嵌合すると共に前記下部に設けられた拡張された拡幅部と同一幅またはそれ以上の幅を有する凹部と、
前記凹部内に設けられていて前記被梱包物に形成された突起部に当接して支える支持緩衝部と、
を備えたことを特徴とする緩衝部材。
【発明の詳細な説明】
【技術分野】
【０００１】
本発明は、薄型表示装置等の被梱包物を梱包するための被梱包物の梱包構造及び梱包用の緩衝部材に関する。
【背景技術】
【０００２】
従来、液晶ディスプレイ装置等のような大型の薄型表示装置を梱包する梱包構造として、例えば図５乃至図７に示すものが知られている。この梱包構造では、図５（ａ）、（ｂ）に示すように、薄型の薄型表示装置１００の上部と下部に上部緩衝部材１０１と下部緩衝部材１０２を嵌合させて、直方体形状の梱包箱１０３内に収納している。
【０００３】
図６及び図７に示す薄型表示装置１００の梱包構造において、薄型表示装置１００の本体部は前面の表示画面と背面のリアカバーとを有し、リアカバーは中央で肉厚の大きい膨出部とその周縁で薄肉の周縁部とを有している。そして、上部緩衝部材１０１と下部緩衝部材１０２に形成された各凹部に薄型表示装置１００の上下部の周縁部と膨出部の一部を隙間なく嵌合させて梱包している。特許文献１に記載された梱包構造にも同様な構成が開示されている。
【０００４】
図８に示すような大型の薄型表示装置１００では、リアカバーの周縁部の下部において段差部１０５ａを有する下端部１０５がその上側の周縁部より拡幅されて形成されているものがある。下端部１０５の上側の周縁部には持ち運び用のハンドル１０６が取り付けられている。このような大型の薄型表示装置１００を下部緩衝部材１０２に嵌合させる場合、図９（ａ）に示すように、凹部１０２ａの幅は周縁部の下端部１０５の厚みに一致しているため、その上側の周縁部との間に隙間ができてしまう。この場合、ハンドル１０６は下部緩衝部材１０２内の空間に収納されている。
しかも、薄型表示装置１００は一般的に背面側に重心があるため、薄型表示装置１００を梱包する際、あるいは開梱する際に、凹部１０２ａの隙間のために後ろ側に傾いてしまうことがあった。場合によっては薄型表示装置１００が下部緩衝部材１０２と共に倒れてしまうこともあった。
【０００５】
このような問題を改善する手段として、例えば図１０に示す対策が考えられている。
例えば図１０（ａ）の例では、下部緩衝部材１０２の凹部１０２ａ内における薄型表示装置１００との隙間に追加の緩衝材１０７を嵌合させて薄型表示装置１００の倒れを防止している。
図１０（ｂ）の例では、下部緩衝部材１０２の上部に追加の緩衝材１０８を設置してその溝部１０８ａに薄型表示装置１００の周縁部を嵌合させている。これによって、薄型表示装置１００の傾きを小さくして倒れを防止している。
図１０（ｃ）の例では、下部緩衝部材１０２の後面に緩衝材１０９を延長させて連結することで、下部緩衝部材１０２の床面との接触面積を増大させて薄型表示装置１００が傾いても転倒しないように支えている。
【先行技術文献】
【特許文献】
【０００６】
【特許文献１】特開２００８−１０５６８３号公報
【発明の概要】
【発明が解決しようとする課題】
【０００７】
しかしながら、図１０（ａ）に示す例では、緩衝材を凹部１０２ａ内に挟み込む作業が煩雑である上に緩衝材の使用量が増大するという問題がある。同図（ｂ）に示す例では、緩衝材の使用量の増大に加えて緩衝材が大型化するという問題が生じる。同図（ｃ）に示す例では、緩衝材の使用量が増大する上に緩衝材とこれを収納する梱包箱が大型化し、更には輸送コストが増大するという問題が生じる。
【０００８】
本発明は、上述した課題に鑑みてなされたものであり、緩衝部材の使用量を増大させたり緩衝部材のサイズを大きくしたりすることなく被梱包物の倒れを防いで支持できて、環境負荷を低減できるようにした被梱包物の梱包構造及び梱包用緩衝部材を提供することを目的とする。
【課題を解決するための手段】
【０００９】
本発明による被梱包物の梱包構造は、被梱包物の少なくとも一部を緩衝部材の凹部に嵌合してなる梱包構造において、被梱包物は、緩衝部材の凹部に嵌合される領域内に設けられた拡幅部と、拡幅部より突出する突起部と、を備え、緩衝部材には、突起部に当接して支える支持緩衝部が設けられていることを特徴とする。
【００１０】
本発明による梱包用の緩衝部材は、被梱包物の少なくとも一部を凹部内に収容する梱包用の緩衝部材において、被梱包物の下部を嵌合すると共に下部に設けられた拡張された拡幅部と同一幅またはそれ以上の幅を有する凹部と、凹部内に設けられていて被梱包物に形成された突起部に当接して支える支持緩衝部と、を備えたことを特徴とする。
【発明の効果】
【００１１】
本発明に係る被梱包物の梱包構造及び梱包用の緩衝部材によれば、被梱包物の突起部を緩衝部材に設けた支持緩衝部によって支持するため、被梱包物の梱包時や開梱時に被梱包物に倒れ方向の荷重が働いても被梱包物の傾きを支持緩衝部で抑制できる。しかも、被梱包物の倒れ防止のために、緩衝部材を追加したり梱包サイズを増大させたりすることを抑制して、輸送コストの上昇や環境負荷の増大を抑えることができる。
【図面の簡単な説明】
【００１２】
【図１】本発明の実施形態による下部緩衝部材に梱包される大型の薄型表示装置を示すものであり、（ａ）は側面図、（ｂ）は部分斜視図である。
【図２】図１に示す薄型表示装置の梱包構造を示す斜視図である。
【図３】（ａ）は下部緩衝部材に薄型表示装置を嵌合させた梱包構造の断面図、（ｂ）は同図（ａ）のＡ部拡大図である。
【図４】持ち運び用ハンドルに当接する支持緩衝部を示す下部緩衝部材の説明図である。
【図５】従来例を示すもので、（ａ）は薄型表示装置に上部緩衝部材と下部緩衝部材を嵌合させた斜視図、（ｂ）は薄型表示装置を梱包箱に収納した斜視図である。
【図６】（ａ）は図５（ａ）のＢ−Ｂ線断面図、（ｂ）は同図（ａ）の説明図である。
【図７】図６に示す下部緩衝部材のＣ−Ｃ線水平断面図である。
【図８】薄型表示装置の周縁部の下部を示す部分斜視図である。
【図９】（ａ）は下部緩衝部材に薄型表示装置を嵌合させた断面図、（ｂ）は薄型表示装置が傾いた図である。
【図１０】（ａ）、（ｂ）、（ｃ）は薄型表示装置の倒れを抑制する各構成を示す図である。
【発明を実施するための形態】
【００１３】
以下、本発明の実施形態による薄型表示装置の梱包構造を図１〜図４を参照して説明する。
図１（ａ）、（ｂ）は被梱包物としての薄型表示装置１を示すものであり、例えば液晶ディスプレイまたは有機ＥＬディスプレイ等からなる大型の薄型表示装置１を示すものである。薄型表示装置１の本体１ａは例えば略四角形板状であり、表示画面２の背面をなすリアカバー３は中央部に凸部として設けられた駆動機構等を内蔵する膨出部３ａとその四周に設けた薄肉の周縁部３ｂとを有している。膨出部３ａは周縁部３ｂとの接続部が傾斜面状に形成されたテーパ面３ｃを有している。
【００１４】
この薄型表示装置１は大型であるため、リアカバー３の周縁部３ｂの上下の角部付近に持ち運び用ハンドル４が取り付けられている。持ち運び用ハンドル４はリアカバー３の周縁部３ｂの例えば対角線上に設置されている。上下の持ち運び用ハンドル４は互いに直交する向きに取り付けられている。本実施形態では、上部の周縁部３ｂに設置された持ち運び用ハンドル４は上下方向の（縦辺に沿った）向きに設置され、下部の周縁部３ｂに設置された持ち運び用ハンドル４は水平方向の（下辺に沿った）向きに設置されている。
薄型表示装置１の本体１ａにおける下部の周縁部３ｂには、拡幅部としての下端部５が段差部５ａを介して他の周縁部３ｂの部分より肉厚に形成されている。下部の持ち運び用ハンドル４は段差部５ａの上側に位置している。
【００１５】
薄型表示装置１は、図２において、上側の周縁部３ｂと膨出部３ａのテーパ面３ｃとは上部緩衝部材６の凹部に嵌合され、下側の周縁部３ｂと膨出部３ａのテーパ面３ｃとは下部緩衝部材７の凹部７ａに嵌合されている。上部緩衝部材６と下部緩衝部材７に嵌合されることで、薄型表示装置１は外部の衝撃から保護されている。下部緩衝部材７の外周部は下部梱包箱８内に収納されている。
薄型表示装置１の梱包構造は、図５に示すものと同様に、薄型表示装置１の上下部を上部緩衝部材６と下部緩衝部材７に嵌合させると共に、下部緩衝部材７を下部梱包箱８に収納させた状態で、下部開口を有する直方体状の梱包箱１０３（図５（ｂ）参照）を上から下部梱包箱８の側面までかぶせて係止部材で下部梱包箱８と係止させたものになる。
【００１６】
上部緩衝部材６と下部緩衝部材７は、例えば発泡スチロール等からなる緩衝材で形成されている。下部梱包箱８と梱包箱１０３は例えば段ボールや厚紙等で形成されている。
【００１７】
次に下部緩衝部材７について図２乃至図４により詳述する。
下部緩衝部材７は、概略で細長い直方体状のブロックで形成され、その上面に長手方向に沿って凹部７ａが形成されている。下部緩衝部材７は、その中央領域に高さが比較的低い本体部１０が長手方向に沿って形成され、その両端部には本体部１０より高さの高い略角柱状の起立部１１がそれぞれ形成されている。
【００１８】
本体部１０の上面１０ａにはその長手方向に沿って断面長方形状の凹部７ａが深さ方向に形成されている。凹部７ａは両側の起立部１１の内面にも連通して延びており、凹部７ａの両端部から上下方向に凹溝部７ｂが連続して形成されている。そのため、凹部７ａと凹溝部７ｂには薄型表示装置１の下部側の周縁部３ｂが嵌合可能であり、周縁部３ｂの両端の角部は凹溝部７ｂを通って両側の起立部１１の凹部７ａに嵌合する。起立部１１の凹溝部７ｂには薄型表示装置１の側部の周縁部３ｂの一部が嵌合する。
凹部７ａ、凹溝部７ｂの幅は薄型表示装置１の周縁部３ｂにおける下端部５の厚みと同一幅としたが、下端部５より大きい幅を有していてもよい。また、下端部５の拡幅方向は持ち運び用ハンドル４の突出方向と同一方向であり、持ち運び用ハンドル４は下端部５よりも外側に突出している。
【００１９】
図３及び図４において、下部緩衝部材７の本体部１０には、凹部７ａを挟んで両側に上方向に起立する縦壁部１３が凹部７ａと平行に延びており、縦壁部１３に直交する方向に延びる横壁部１４が縦壁部１３の長手方向に沿って所定間隔で配列されている。そのため、縦壁部１３と横壁部１４が格子状に形成されている。縦壁部１３及び横壁部１４の下端部には水平な底面１５が設けられている。そのため、格子状に配列された縦壁部１３と横壁部１４で空間１７が仕切られている。
【００２０】
凹部７ａは隣り合う縦壁部１３から突出する横壁部１４が切り欠かれて形成され、凹部７ａを挟んで横壁部１４の第一端面１４ａ同士が対向している。薄型表示装置１の周縁部３ｂ及び表示画面２に対向する横壁部１４の第一端面１４ａは垂直に延びて形成され、周縁部３ｂ及び表示画面２を挟んでいる。薄型表示装置１の膨出部３ａのテーパ面３ｃに対向する横壁部１４の第二端面１４ｂは、テーパ面３ｃの形状に沿って斜め方向に傾斜するテーパ状に形成され、表示画面２側の第一端面１４ａとの間にテーパ面３ｃを挟んでいる。
【００２１】
また、薄型表示装置１の下部の周縁部３ｂに設けた持ち運び用ハンドル４は、嵌合状態で縦壁部１３と横壁部１４で仕切られた１つの空間１７内に位置しており、底面１５から上方に延びる支持緩衝部１８の上面１８ａを押圧して当接している。支持緩衝部１８は例えば直方体状に形成され、その上面１８ａに持ち運び用ハンドル４を当接させて支えている。
【００２２】
薄型表示装置１は重量があるため、下部緩衝部材７の凹部７ａに嵌合された際に、その重量で持ち運び用ハンドル４によって支持緩衝部１８を押しつぶすおそれがある。そのため、支持緩衝部１８の上面１８ａの高さを薄型表示装置１の下端部から持ち運び用ハンドル４までの高さより若干高く形成しておくことが好ましい。そして、薄型表示装置１を下部緩衝部材７の凹部７ａに嵌合させた際、その重みで持ち運び用ハンドル４が支持緩衝部１８をわずかに圧縮した静止状態で薄型表示装置１が垂直の状態を維持するように支持緩衝部１８の高さを設定することが好ましい。
【００２３】
或いは、支持緩衝部１８の上面１８ａの高さを下端部５から持ち運び用ハンドル４までの高さと同じに設定してもよい。この場合、下部緩衝部材７の剛性を比較的高くすることが好ましい。薄型表示装置１を下部緩衝部材７の凹部７ａに嵌合した際、周縁部３ｂの下端部が底面１５に着座した位置で持ち運び用ハンドル４が支持緩衝部１８の上面１８ａに当接することで、薄型表示装置１の荷重を底面１５と支持緩衝部１８で分散して受けることができる。これにより、薄型表示装置１の持ち運び用ハンドル４で支持緩衝部１８が圧縮されることなく、薄型表示装置１を垂直に支持できる。
なお、上部緩衝部材６も、下部緩衝部材７と同様に、縦壁部１３と横壁部１４が格子状に配列して形成され、横壁部１４を一部切り欠いて凹部（図示せず）を形成している。しかも、凹部における周縁部３ｂや表示画面２に当接する横壁部１４の第一端面１４ａは垂直面に形成され、膨出部３ａのテーパ面３ｃに当接する第二端面１４ｂは傾斜面に形成されている。
【００２４】
本実施形態による薄型表示装置１の梱包構造は上述した構成を有しており、次にその梱包及び開梱方法について説明する。
梱包に際し、予め下部緩衝部材７を下部梱包箱８内に収めた状態で、薄型表示装置１の肉厚の下端部５を下にして、下部緩衝部材７の凹部７ａに嵌合させる。すると、薄型表示装置１の下側の周縁部３ｂは下端部５を下にして凹部７ａ内に嵌合され、周縁部３ｂの角部は起立部１１の凹部７ａに嵌合される。その際、薄型表示装置１の下側の周縁部３ｂは下部緩衝部材７の凹部７ａにおける横壁部１４の第一端面１４ａ、傾斜面状の第二端面１４ｂの間に挟まれて凹部７ａ内の底面１５に着座する。しかも、周縁部３ｂは対向する横壁部１４の第一端面１４ａ間に収まり、膨出部３ａのテーパ面３ｃは横壁部１４の傾斜した第二端面１４ｂと垂直の第一端面１４ａとの間に挟まれる。
【００２５】
また、薄型表示装置１の持ち運び用ハンドル４は縦壁部１３と横壁部１４の間の空間１７内で支持緩衝部１８の上面１８ａを押圧して圧縮する。支持緩衝部１８は持ち運び用ハンドル４と高さがオーバーラップしており、持ち運び用ハンドル４にかかる荷重で支持緩衝部１８を一部押しつぶしながら、薄型表示装置１の下端部５が凹部７ａの底面１５に着座した状態で静止する。この状態で、薄型表示装置１は垂直に保持され、その表示画面２と周縁部３ｂが両側の横壁部１４の第一端面１４ａに当接させられ、膨出部３ａのテーパ面３ｃは横壁部１４の傾斜した第二端面１４ｂに当接させられる。
【００２６】
こうして、下部緩衝部材７に対する薄型表示装置１の装着が終了し、薄型表示装置１は凹部７ａ内で垂直に保持されているため倒れたり傾いたりしない。次に、薄型表示装置１の上部に上部緩衝部材６の凹部を嵌合させ、更にその上から梱包箱１０３をかぶせて係止部材で係止させることで梱包を完了する。
また、開梱の際には、梱包箱１０３を外し、上部緩衝部材６を薄型表示装置１から外しても、薄型表示装置１は下部緩衝部材７に垂直に保持されているために、不用意に倒れたり傾いたりしない。そのため、下部緩衝部材７から薄型表示装置１を安全且つ容易に取り外すことができる。
【００２７】
上述のように本実施形態による薄型表示装置１の梱包構造によれば、下部緩衝部材７の凹部７ａに薄型表示装置１を嵌合させた状態で持ち運び用ハンドル４の下側を支持緩衝部１８に押し当てることで薄型表示装置１を垂直に保持できる。そのため、梱包や開梱の際に、薄型表示装置１が自身の重さで傾いたり倒れたりすることを阻止できる。
しかも、下部緩衝部材７に追加の緩衝材を加えることがなく、下部緩衝部材７の外形寸法が増大したり梱包箱１０３が大きくなったりすることを防止し、輸送コストの増大を防いで環境負荷の増加を抑制できる。
【００２８】
なお、本発明は上述した実施形態による薄型表示装置１の梱包構造に限定されることはなく、本発明の趣旨を逸脱しない範囲で適宜の変更や置換等が可能であり、これらはいずれも本発明に含まれる。次に本発明の変形例について説明するが、上述した実施形態と同一または同様な部分、部材には同一の符号を用いて説明する。
【００２９】
例えば、上述の実施形態では、下部緩衝部材７の凹部７ａは格子状に配列した縦壁部１３及び横壁部１４の一方の壁部材、例えば横壁部１４に凹部７ａを切り欠いて形成したが、本発明はこのような構成に限定されない。例えば、下部緩衝部材７を略直方体形状に形成して、その上面から下方に向けて凹溝状に切り欠いて凹部７ａを形成してもよい。
また、下部緩衝部材７の支持緩衝部１８は持ち運び用ハンドル４の下に当接して支持するようにしたが、持ち運び用ハンドル４の前面に当接させて薄型表示装置１が倒れないように支持してもよい。
【００３０】
また、上述した実施形態では、薄型表示装置１の本体１ａの下端部５が段差部５ａを介して肉厚に拡幅されているために、本体１ａの下部を嵌合させる凹部７ａの幅が下端部５の肉厚寸法で規定され、その上部で本体１ａと凹部７ａとの間に隙間が生じるものとした。
しかし、本体１ａに必ずしも肉厚の下端部５を設けていなくてもよく、凹部７ａの幅を下端部５のない同一厚みの周縁部３ｂと略同一寸法にしてもよい。この場合でも薄型表示装置１の本体１ａの重量で一方側に傾く恐れがある。その傾きを、持ち運び用ハンドル４を支持する支持緩衝部１８で阻止するようにしてもよい。
なお、支持緩衝部１８の形状は直方体に限定されるものではなく、持ち運び用ハンドル４を支持できる形状であれば適宜の形状を採用できる。
【００３１】
また、上述した実施形態では、支持緩衝部１８を含む下部緩衝部材７や上部緩衝部材６として発泡スチロールを用いたが、発泡スチロールに限定されない。例えば、段ボールや厚紙や合成樹脂材等の他の緩衝材を用いることができる。
また、被梱包体として薄型表示装置１を用いたが、他の薄型製品でもよいし、薄型でない製品でもよい。薄型表示装置１等の被梱包体の倒れを抑制する突起部として持ち運び用ハンドル４を設けたが、これに代えてハンドル以外の製品の一部を突起部として用いてもよい。
【符号の説明】
【００３２】
１  薄型表示装置
２  表示画面
３  リアカバー
３ａ  膨出部
３ｂ  周縁部
４  持ち運び用ハンドル
５  下端部
７  下部緩衝部材
７ａ  凹部
８  下部梱包箱
１３  縦壁部
１４  横壁部
１５  底面
１８  支持緩衝部
１０３  梱包箱
【図１】
2019127297.tif 000003
【図２】
2019127297.tif 000004
【図３】
2019127297.tif 000005
【図４】
2019127297.tif 000006
【図５】
2019127297.tif 000007
【図６】
2019127297.tif 000008
【図７】
2019127297.tif 000009
【図８】
2019127297.tif 000010
【図９】
2019127297.tif 000011
【図１０】
2019127297.tif 000012